(57)【要約】      （修正有）【課題】付箋を名刺入れに収納可能な名刺型付箋収納ケースを提供する。【解決手段】シート形状の表紙部１１と、シート形状であって付箋を配置される台紙部１２と、表紙部と台紙部とを接続する接続部１３とを有し、接続部は、表紙部を台紙部の上方に折畳み可能に接続し、表紙部の内面と台紙部上に配置された付箋とを相互に対向するように屈曲し、表面部の表面若しくは内面、又は、台紙部の裏面の少なくともいずれか１つに、所定の広告を表示するための広告表示スペースＡ１、Ａ２を備える、ことを特徴とする。【選択図】図４
0003198581.tif 000002
【実用新案登録請求の範囲】
【請求項１】
付箋を名刺入れに収納可能な名刺型付箋収納ケースであって、
シート形状の表紙部と、
シート形状であって前記付箋を配置される台紙部と、
前記表紙部と前記台紙部とを接続する接続部と
を有し、
前記接続部は、前記表紙部を前記台紙部の上方に折畳み可能に接続し、前記表紙部の内面と前記台紙部上に配置された前記付箋とを相互に対向するように屈曲し、
前記表面部の表面若しくは前記内面、又は、前記台紙部の裏面の少なくともいずれか１つに、所定の広告を表示するための広告表示スペースを備える、
ことを特徴とする名刺型付箋収納ケース。
【請求項２】
前記付箋が配置された前記台紙部の表面に、該付箋を取り除くと広告を表示する第２の広告表示スペースを更に備える、
ことを特徴とする請求項１に記載の名刺型付箋収納ケース。
【請求項３】
請求項１又は請求項２に記載の名刺型付箋収納ケースに配置された付箋。
【考案の詳細な説明】
【技術分野】
【０００１】
本考案は、付箋を名刺入れに収納可能な名刺型付箋収納ケースに関する。本考案は、名刺入れに収納可能な名刺型付箋収納ケースに配置された付箋に関するものであってもよい。
【背景技術】
【０００２】
現在、日常生活やビジネス社会において、名刺を交換して挨拶する機会が多くある。また、重要な事項からメモ程度の事項まで、付箋を用いて様々な内容を手軽に記録する機会が多くある。特許文献１では、外カバーと内カバーにより構成され、外カバーの内側に装着するゴムマグネット枠と鉄芯入り内カバーとで開閉できる手帳カバーに関する技術を開示している。
【先行技術文献】
【特許文献】
【０００３】
【特許文献１】特開２００３−２１１８６８号公報
【考案の概要】
【考案が解決しようとする課題】
【０００４】
しかしながら、特許文献１に開示されている技術では、付箋を収納する技術に関する記載がない。また、携帯する機会が多い名刺入れに付箋を収納できる収納方法に関する技術が求められている。更に、携帯する機会が多い名刺入れに広告宣伝機能を付加する技術が求められている。
【０００５】
本考案は、名刺入れに収納可能な名刺型付箋収納ケース及び付箋を提供することを目的とする。また、本考案は、付箋を携帯可能に収納し、必要なときに必要なだけ付箋を取り出せる名刺型付箋収納ケースであってもよい。更に、本考案は、広告宣伝機能を付加した名刺型付箋収納ケースであってもよい。
【課題を解決するための手段】
【０００６】
上記課題を解決するために、本考案の一つの実施形態は、付箋を名刺入れに収納可能な名刺型付箋収納ケースであって、シート形状の表紙部と、シート形状であって前記付箋を配置される台紙部と、前記表紙部と前記台紙部とを接続する接続部とを有し、前記接続部は、前記表紙部を前記台紙部の上方に折畳み可能に接続し、前記表紙部の内面と前記台紙部上に配置された前記付箋とを相互に対向するように屈曲し、前記表面部の表面若しくは前記内面、又は、前記台紙部の裏面の少なくともいずれか１つに、所定の広告を表示するための広告表示スペースを備える、ことを特徴とする名刺型付箋収納ケースを提供する。
【０００７】
本考案の他の実施形態は、上記の名刺型付箋収納ケースであって、前記付箋が配置された前記台紙部の表面に、該付箋を取り除くと広告を表示する第２の広告表示スペースを更に備える、ことを特徴とする請求項１に記載の名刺型付箋収納ケースであってもよい。
【０００８】
本考案の他の実施形態は、上記のいずれか１つの名刺型付箋収納ケースに配置された付箋であってもよい。
【考案の効果】
【０００９】
本考案に係る名刺型付箋収納ケース及び付箋によれば、名刺入れに収納することができる。また、本考案に係る名刺型付箋収納ケースによれば、付箋を携帯可能に収納し、必要なときに必要なだけ付箋を取り出すことができる。更に、本考案に係る名刺型付箋収納ケースによれば、広告宣伝機能を持たせることができる。
【図面の簡単な説明】
【００１０】
【図１】本考案の実施形態に係る名刺型付箋収納ケース及び付箋の一例を説明する説明図である。
【図２】本考案の実施形態に係る名刺型付箋収納ケースの一例を示す平面図である。
【図３】本考案の実施形態に係る名刺型付箋収納ケースの一例を示す正面図である。
【図４】本考案の実施形態に係る名刺型付箋収納ケースの広告表示スペース（表面および裏面）の例を説明する説明図である。
【図５】本考案の実施形態に係る名刺型付箋収納ケースの広告表示スペース（内面）の例を説明する説明図である。
【図６】本考案の実施形態に係る名刺型付箋収納ケースの広告表示スペース（台紙部の配置面）の例を説明する説明図である。
【図７】本考案の実施形態に係る名刺型付箋収納ケースを収納した名刺入れの例を説明する説明図である。
【考案を実施するための形態】
【００１１】
実施形態に係る名刺型付箋収納ケース及び付箋の例を用いて、本考案を説明する。なお、本考案は、以後に説明する名刺型付箋収納ケース以外でも、付箋（ふせん、貼り紙、紙など）を収納できるもの（ケース、カバー、ファイル、ホルダーなど）であれば、いずれのものにも用いることができる。なお、名刺型付箋収納ケースの素材、色、形状は、特に限定されない。名刺型付箋収納ケースの色は、透明、半透明、色付きのものであってもよい。名刺型付箋収納ケースの色は、例えば使用者（消費者）の趣味趣向に合わせた柄のものであってもよい。
【００１２】
以後に、本考案を説明する。
【００１３】
図１乃至図３を用いて、本考案の実施形態に係る名刺型付箋収納ケースの構成を説明する。ここで、図１は、本考案の実施形態に係る名刺型付箋収納ケース及び付箋の一例を説明する説明図である。図２は、本考案の実施形態に係る名刺型付箋収納ケースの一例を示す平面図である。図３は、本考案の実施形態に係る名刺型付箋収納ケースの一例を示す正面図である。なお、図１等に示す名刺型付箋収納ケースの構成等は一例であり、本考案は図１等に示す名刺型付箋収納ケース等に限定されるものではない。
【００１４】
本考案に係る名刺型付箋収納ケースは、付箋を名刺入れに収納可能なものである。図１に示すように、本考案に係る名刺型付箋収納ケース１００は、付箋２００を収納するものである。名刺型付箋収納ケース１００は、折畳み時に例えば縦８０ｍｍ〜１００ｍｍ、横５０ｍｍ〜６０ｍｍのものであってもよい。なお、付箋２００は、所定のデザインとなるような形状に形成されていてもよく、所定の模様や文字情報などが印字されていてもよい。本考案に係る名刺型付箋収納ケースに用いることができる付箋の構成は、特に限定されるものではない。
【００１５】
図２及び図３に示すように、本考案に係る名刺型付箋収納ケース１００は、シート形状の表紙部１１と、シート形状であって付箋を配置される台紙部１２と、表紙部１１と台紙部１２とを接続する接続部１３とを有する。本考案に係る名刺型付箋収納ケース１００は、台紙部１２の配置面に複数の付箋を配置（収納）する。下記にて、各構成を具体的に説明する。
【００１６】
表紙部１１は、名刺型付箋収納ケースの外形（表紙）を形成するものである。表紙部１１は、図２及び図３に示すように、本実施形態では、略長方形のシート形状の部材である。
【００１７】
図４及び図５に、名刺型付箋収納ケース１００の表紙部１１の広告表示スペースの例を示す。図４に示すように、名刺型付箋収納ケース１００は、表紙部１１の表面Ａ１に、所定の広告を表示するための広告表示スペースを設けることができる。また、図５に示すように、名刺型付箋収納ケース１００は、表紙部１１の内面Ａ３に、所定の広告を表示するための広告表示スペースを設けることができる。名刺型付箋収納ケース１００は、表紙部１１の表面Ａ１及び内面Ａ３に、例えば社名、住所、連絡先、商品情報を表示することができる。これにより、本考案に係る名刺型付箋収納ケース１００は、付箋収納ケースに広告宣伝機能を持たせることができる。また、名刺型付箋収納ケース１００は、台紙部１２の内面Ａ３（図５）に広告を表示することができるので、付箋２００を使用するたびに広告を表示し、目に付き易くし、広告宣伝効果を高めることができる。
【００１８】
なお、本考案に係る表紙部１１の形状は、特に限定されない。本考案に係る表紙部１１の形状は、設計、実験、計算などで予め定められる形状とすることができる。また、本考案に係る表紙部１１の形状は、角が丸まったもの又は尖ったものであってもよい。また、表紙部１１の材質は、特に限定されない。表紙部１１の材質は、紙、シリコン、塩化ビニル、合成樹脂又はエンジニアリングプラスチックなどを用いることができる。
【００１９】
台紙部１２は、付箋を配置（収納）するものである。台紙部１２は、図２及び図３に示すように、本実施形態では、略長方形のシート形状の部材である。
【００２０】
図４及び図６に、名刺型付箋収納ケース１００の表紙部１１の広告表示スペースの例を示す。図４に示すように、名刺型付箋収納ケース１００は、台紙部１２の裏面Ａ２に、所定の広告を表示するための広告表示スペースを設けることができる。また、図６に示すように、名刺型付箋収納ケース１００は、台紙部１２の表面（台紙の配置面）Ａ４に、所定の広告を表示するための広告表示スペースを設けることができる。名刺型付箋収納ケース１００は、台紙部１２の表面Ａ４及び裏面Ａ２に、例えば社名、住所、連絡先、商品情報を表示することができる。これにより、本考案に係る名刺型付箋収納ケース１００は、付箋収納ケースに広告宣伝機能を持たせることができる。また、名刺型付箋収納ケース１００は、付箋２００が配置された台紙部１２の表面Ａ４（図６）に広告を表示することができるので、付箋２００を取り除くと広告を表示し、より印象的に広告を表示することができ、広告宣伝効果を高めることができる。
【００２１】
なお、本考案に係る台紙部１２の形状は、特に限定されない。本考案に係る台紙部１２の形状は、設計、実験、計算などで予め定められる形状とすることができる。また、本考案に係る台紙部１２の形状は、角が丸まったもの又は尖ったものであってもよい。また、台紙部１２の材質は、特に限定されない。台紙部１２の材質は、紙、シリコン、塩化ビニル、合成樹脂又はエンジニアリングプラスチックなどを用いることができる。
【００２２】
接続部１３は、表紙部１１と台紙部１２とを接続するものである。接続部１３は、図２及び図３に示すように、本実施形態では、略長方形のシート形状の部材である。接続部１３は、表紙部１１を台紙部１２の上方に折畳み可能に接続し（図１）、表紙部１１の内面と台紙部１２上に配置された付箋２００とを相互に対向するように屈曲する。
【００２３】
なお、本考案に係る接続部１３の形状は、特に限定されない。本考案に係る接続部１３の形状は、設計、実験、計算などで予め定められる形状とすることができる。また、接続部１３の材質は、特に限定されない。接続部１３の材質は、紙、シリコン、塩化ビニル、合成樹脂又はエンジニアリングプラスチックなどを用いることができる。更に、表紙部１１、台紙部１２及び接続部１３の色、柄及び／又は材質は、異なるものであってもよい。
【００２４】
本考案に係る名刺型付箋収納ケース１００は、名刺入れに収納（保持）することができる。具体的には、図７に示すように、名刺型付箋収納ケース１００は、中央で２つ折りにする名刺入れ３００の名刺収納部に、表紙部１１を挿入（収納）する。これにより、本考案に係る名刺型付箋収納ケース１００によれば、名刺入れを用いて、携帯することができ、必要なときに必要なだけ付箋を取り出す（使用）ことができる。また、名刺型付箋収納ケース１００によれば、名刺入れの開閉動作と連動させることができ、あたかも名刺入れの付属書類のように取り扱うことができる。更に、名刺型付箋収納ケース１００によれば、折り畳まれた名刺入れの内側に収容されているため、折り畳んだ状態の名刺入れが大きく膨らむことがなく、名刺入れの携帯性機能が低下することもない。
【００２５】
以上のとおり、本考案に係る名刺型付箋収納ケース（及び付箋）によれば、名刺入れに収納することができる。また、本考案に係る名刺型付箋収納ケース（及び付箋）によれば、付箋を携帯可能に収納し、必要なときに必要なだけ付箋を取り出すことができる。更に、本考案に係る名刺型付箋収納ケース（及び付箋）によれば、広告宣伝機能を持たせることができる。
【００２６】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２７】
１００  ：  名刺型付箋収納ケース
２００  ：  付箋
３００  ：  名刺入れ
１１  ：  表紙部
１２  ：  台紙部
１３  ：  接続部
Ａ１，Ａ２，Ａ３，Ａ４：  広告表示スペース
【図１】
0003198581.tif 000003
【図２】
0003198581.tif 000004
【図３】
0003198581.tif 000005
【図４】
0003198581.tif 000006
【図５】
0003198581.tif 000007
【図６】
0003198581.tif 000008
【図７】
0003198581.tif 000009